(57)【要約】【課題】複数のコネクタ対の接続状態をまとめて検出することができるコネクタ対接続状態検出装置を提供する。【解決手段】複数のコネクタ対の接続状態を検出するコネクタ対接続状態検出装置であって、第１の接続点に一端が接続された第１の抵抗と、複数の第２の抵抗を含む回路網であって、その一端が前記第１の抵抗の他端に接続され、その他端が第２の接続点に接続され、前記複数のコネクタ対の接続状態に応じて合成抵抗が変化する回路網と、前記第１の抵抗の他端で測定される電圧又は電流に基づいて、前記複数のコネクタ対の接続状態を検出する検出手段とを備える。【選択図】図１
2020030912.tif 000002
【特許請求の範囲】
【請求項１】
複数のコネクタ対の接続状態を検出するコネクタ対接続状態検出装置であって、
第１の接続点に一端が接続された第１の抵抗と、
複数の第２の抵抗を含む回路網であって、その一端が前記第１の抵抗の他端に常に接続され、その他端が第２の接続点に接続されることが可能であり、前記複数のコネクタ対の接続状態に応じて合成抵抗が変化する回路網と、
前記第１の抵抗の他端で測定される電圧又は電流に基づいて、前記複数のコネクタ対の接続状態を検出する検出手段と、
を備えることを特徴とするコネクタ対接続状態検出装置。
【請求項２】
請求項１に記載のコネクタ対接続状態検出装置であって、
前記回路網は、前記複数のコネクタ対にそれぞれ対応する複数の第２の抵抗対を備え、
各第２の抵抗対に含まれる２つの抵抗の一端が前記第１の抵抗の前記他端に共通に接続され、
各第２の抵抗対に含まれる２つの抵抗の他端がそれに対応するコネクタ対に含まれる一方のコネクタの両端に接続され、
各コネクタ対に含まれる他方のコネクタの両端が第２の接続点に接続されていることを特徴とするコネクタ対接続状態検出装置。
【請求項３】
請求項２に記載のコネクタ対接続状態検出装置であって、
前記複数の第２の抵抗対の抵抗値は、抵抗対毎に異なることを特徴とするコネクタ対接続状態検出装置。
【請求項４】
請求項２に記載のコネクタ対接続状態検出装置であって、
前記複数の第２の抵抗対の抵抗値は、抵抗毎に異なることを特徴とするコネクタ対接続状態検出装置。
【請求項５】
請求項１に記載のコネクタ対接続状態検出装置であって、
前記回路網は、前記複数のコネクタ対にそれぞれ対応する複数の第２の抵抗を備え、
前記複数の第２の抵抗は、前記第１の接続点と前記第２の接続点との間において直列に接続され、
各第２の抵抗の両端がそれに対応するコネクタ対に含まれる一方のコネクタの両端に接続され、
各コネクタ対に含まれる他方のコネクタの両端が相互に短絡されていることを特徴とするコネクタ対接続状態検出装置。
【請求項６】
請求項１に記載のコネクタ対接続状態検出装置であって、
前記回路網は、前記複数のコネクタ対にそれぞれ対応する複数の第２の抵抗を備え、
各第２の抵抗の一端が前記第１の抵抗の前記他端に共通に接続され、
各第２の抵抗の他端がそれに対応するコネクタ対に含まれる一方のコネクタの一端に接続され、
前記コネクタ対に含まれる前記一方のコネクタの他端が前記第２の接続点に接続され、
各コネクタ対に含まれる他方のコネクタの両端が相互に短絡されていることを特徴とするコネクタ対接続状態検出装置。
【請求項７】
請求項１に記載のコネクタ対接続状態検出装置であって、
前記回路網は、前記複数のコネクタ対にそれぞれ対応する複数の第２の抵抗を備え、
前記第１の抵抗の前記他端が前記複数のコネクタ対に含まれる一方のコネクタの片端に接続され、
各第２の抵抗の一端が前記複数のコネクタに含まれる前記一方のコネクタの他端に接続され、
前記第２の抵抗の他端が前記第２の接続点に接続され、
各コネクタ対に含まれる他方のコネクタの両端が相互に短絡されていることを特徴とするコネクタ対接続状態検出装置。
【請求項８】
請求項５乃至７の何れか１項に記載のコネクタ対接続状態検出装置であって、
前記第２の抵抗の抵抗値は、抵抗毎に異なることを特徴とするコネクタ対接続状態検出装置。
【請求項９】
請求項１乃至８の何れか１項に記載のコネクタ対接続状態検出装置であって、
前記検出手段は、前記第１の抵抗の他端の電位と前記複数のコネクタ対の接続状態に応じて異なる期待電圧との比較に基づいて前記複数のコネクタ対の接続状態を検出することを特徴とするコネクタ対接続状態検出装置。
【請求項１０】
請求項１乃至９の何れか１項に記載のコネクタ対接続状態検出装置であって、
前記第１の接続点と前記第２の接続点の間には電位差が設けられていることを特徴とするコネクタ対接続状態検出装置。
【請求項１１】
請求項１乃至９の何れか１項に記載のコネクタ対接続状態検出装置であって、
前記第１の接続点と前記第２の接続点の間に定電流を流すための定電流源が接続されていることを特徴とするコネクタ対接続状態検出装置。
【請求項１２】
請求項１乃至１１の何れか１項に記載のコネクタ対接続状態検出装置を備えることを特徴とする複合機。
【請求項１３】
複数のコネクタ対の接続状態を検出するコネクタ対接続状態検出装置であって、
第１の接続点に一端が接続された第１の抵抗を用意するステップと、
複数の第２の抵抗を含む回路網であって、その一端が前記第１の抵抗の他端に常に接続され、その他端が第２の接続点に接続されることが可能であり、前記複数のコネクタ対の接続状態に応じて合成抵抗が変化する回路網を用意するステップと、
前記第１の抵抗の他端で測定される電圧又は電流に基づいて、前記複数のコネクタ対の接続状態を検出する検出ステップと、
を有することを特徴とするコネクタ対接続状態検出方法。
【発明の詳細な説明】
【技術分野】
【０００１】
本発明は、コネクタ対接続状態検出装置、これを含む複合機及びコネクタ対接続状態検出方法に関する。
【背景技術】
【０００２】
画像読取機能、画像形成機能、画像複製機能のみならずファクシミリ機能、通信機能などの他の機能を持つ複合機の回路は、複数の基板に跨がって形成される場合が多い。そして、回路が複数の基板が跨がる場合には、基板間にコネクタ対とケーブルを設けることにより、基板間に跨がる回路は連動して動作することができ、これにより、複合機の各機能を有効化することができる。
【先行技術文献】
【特許文献】
【０００３】
【特許文献１】特開平９−２８９０６４号公報
【特許文献２】特開２０１１−２１５４６５号公報
【発明の概要】
【発明が解決しようとする課題】
【０００４】
ここで、複数の基板に跨がる回路を接続するためのコネクタ対は、例えば、差し込み式のものであり、組立不良により、片端が浮いたり両端が浮いたりすることがあり得る。そのような場合には、複合機は、本来の機能を有効化することができなくなってしまうおそれがある。
【０００５】
そこで、コネクタ対の接続状態を監視して、片浮きや両浮きを検出したならば、利用者や管理者にそれを知らせ、コネクタ対の接続状態を正常にして貰う必要が生じる。
【０００６】
例えば、特許文献１又は特許文献２に開示されているような検出装置により、１つ１つのコネクタ対について接続状態を検出することができるが、このような場合には、コネクタ対の数だけそのような検出装置を用意する必要があるため、コストが上昇する。
【０００７】
そこで本発明は、複数のコネクタ対の接続状態をまとめて検出することができるコネクタ対接続状態検出装置、それを含む複合機及びコネクタ対接続状態検出方法を提供することを目的とする。
【課題を解決するための手段】
【０００８】
本発明によれば、
複数のコネクタ対の接続状態を検出するコネクタ対接続状態検出装置であって、
第１の接続点に一端が接続された第１の抵抗と、
複数の第２の抵抗を含む回路網であって、その一端が前記第１の抵抗の他端に常に接続され、その他端が第２の接続点に接続されることが可能であり、前記複数のコネクタ対の接続状態に応じて合成抵抗が変化する回路網と、
前記第１の抵抗の他端で測定される電圧又は電流に基づいて、前記複数のコネクタ対の接続状態を検出する検出手段と、
を備えることを特徴とするコネクタ対接続状態検出装置が提供される。
【０００９】
また、本発明によれば、上記のコネクタ対接続状態検出装置を備えることを特徴とする複合機が提供される。
【００１０】
更に、本発明によれば、
複数のコネクタ対の接続状態を検出するコネクタ対接続状態検出装置であって、
第１の接続点に一端が接続された第１の抵抗を用意するステップと、
複数の第２の抵抗を含む回路網であって、その一端が前記第１の抵抗の他端に常に接続され、その他端が第２の接続点に接続されることが可能であり、前記複数のコネクタ対の接続状態に応じて合成抵抗が変化する回路網を用意するステップと、
前記第１の抵抗の他端で測定される電圧又は電流に基づいて、前記複数のコネクタ対の接続状態を検出する検出ステップと、
を有することを特徴とするコネクタ対接続状態検出方法が提供される。
【発明の効果】
【００１１】
本発明によれば、複数のコネクタ対の接続状態をまとめて検出することができる。
【図面の簡単な説明】
【００１２】
【図１】本発明の第１の実施の形態におけるコネクタ対接続状態検出装置及びこれにより接続状態が検出される複数組のコネクタを示す回路図である。
【図２】図１に示すコネクタ対接続状態検出装置に含まれる抵抗値の一例を示す表である。
【図３】本発明の第１の実施の形態におけるコネクタ対接続状態検出装置におけるコネクタの接続状態と合成抵抗の値と電圧Ｖｏｕｔとの関係を示す表である。
【図４】本発明の第３の実施の形態におけるコネクタ対接続状態検出装置及びこれにより接続状態が検出される複数組のコネクタを示す回路図である。
【図５】図４に示すコネクタ対接続状態検出装置に含まれる抵抗値の一例を示す表である。
【図６】本発明の第３の実施の形態におけるコネクタ対接続状態検出装置におけるコネクタの接続状態と合成抵抗の値と電圧Ｖｏｕｔとの関係を示す表である。
【図７】本発明の第４の実施の形態におけるコネクタ対接続状態検出装置及びこれにより接続状態が検出される複数組のコネクタを示す回路図である。
【図８】図７に示すコネクタ対接続状態検出装置に含まれる抵抗値の一例を示す表である。
【図９】本発明の第４の実施の形態におけるコネクタ対接続状態検出装置におけるコネクタの接続状態と合成抵抗の値と電圧Ｖｏｕｔとの関係を示す表である。
【図１０】本発明の第５の実施の形態におけるコネクタ対接続状態検出装置及びこれにより接続状態が検出される複数組のコネクタを示す回路図である。
【図１１】本発明の第１１の実施の形態による複合機の概念的断面図である。
【図１２】本発明の第１１の実施の形態による複合機の機能ブロック図である。
【発明を実施するための形態】
【００１３】
以下、図面を参照して本発明を実施するための形態について詳細に説明する。
【００１４】
［第１の実施の形態］
図１は第１の実施の形態におけるコネクタ対接続状態検出装置及びこれにより接続状態が検出される複数組のコネクタを示す回路図である。
【００１５】
図１を参照すると、制御基板には、３つのコネクタ（コネクタＣＮ＃Ａ１、ＣＮ＃Ｂ１、ＣＮ＃Ｃ１）が実装されている。また、基板Ａには、コネクタＣＮ＃Ａ２が実装されていて、基板Ｂには、コネクタＣＮ＃Ｂ２が実装されていて、基板Ｃには、コネクタＣＮ＃Ｃ２が実装されている。
【００１６】
コネクタＣＮ＃Ａ１にはコネクタＣＮ＃Ａ２が接続され、コネクタＣＮ＃Ｂ１にはコネクタＣＮ＃Ｂ２が接続され、コネクタＣＮ＃Ｃ１にはコネクタＣＮ＃Ｃ２が接続される。
【００１７】
コネクタＣＮ＃Ａ２の両端の端子は、ＧＮＤに接続されている。同様に、コネクタＣＮ＃Ｂ２の両端の端子も、ＧＮＤに接続されていて、コネクタＣＮ＃Ｃ２の両端の端子も、ＧＮＤに接続されている。
【００１８】
コネクタＣＮ＃Ａ１の両端の端子のうちの一方には抵抗Ｒ１の一端が接続され、コネクタＣＮ＃Ａ１の両端の端子のうちの他方には抵抗Ｒ２の一端が接続されている。
【００１９】
同様に、コネクタＣＮ＃Ｂ１の両端の端子のうちの一方には抵抗Ｒ３の一端が接続され、コネクタＣＮ＃Ｂ１の両端の端子のうちの他方には抵抗Ｒ４の一端が接続されている。
【００２０】
同様に、コネクタＣＮ＃Ｃ１の両端の端子のうちの一方には抵抗Ｒ５の一端が接続され、コネクタＣＮ＃Ｃ１の両端の端子のうちの他方には抵抗Ｒ６の一端が接続されている。
【００２１】
制御基板には、一端が電源Ｖ０に接続された抵抗Ｒ０が設けられている。
【００２２】
ここで、抵抗値は、
Ｒ１＝Ｒ２、Ｒ３＝Ｒ４、Ｒ５＝Ｒ６、
であり、且つ
Ｒ１、Ｒ３、Ｒ５、
Ｒ１／／Ｒ３、Ｒ１／／Ｒ５、Ｒ３／／Ｒ５
Ｒ１／／Ｒ３／／Ｒ５
の全てが異なる。つまり、Ｒ１＝Ｒ２、Ｒ３＝Ｒ４、Ｒ５＝Ｒ６であり、且つ、抵抗Ｒ１、Ｒ３、Ｒ５から１個乃至３個の抵抗を選択した各合わせにおける並列の抵抗値が全て異なる。
【００２３】
その一例を図２に示す。
【００２４】
抵抗Ｒ０の他端、抵抗Ｒ１の他端、抵抗Ｒ２の他端、抵抗Ｒ３の他端、抵抗Ｒ４の他端、抵抗Ｒ５の他端及び抵抗Ｒ６の他端は、相互に接続され、その接続点は、電圧を検出するべき点となっている。この点の電圧Ｖｏｕｔにより、コネクタの接続状態を知ることができる。
【００２５】
図３は、コネクタの接続状態と合成抵抗の値と電圧Ｖｏｕｔとの関係を示す表である。
【００２６】
幾つかの例を説明すると、最上行に示すように、全てのコネクタが正常に接続されているならば、ＧＮＤと接続点との間の抵抗は、抵抗Ｒ１乃至Ｒ６を並列接続した場合の合成抵抗と等しくなり、これは、４１．２８オームである。従って、電源Ｖ０＝５Ｖならば、分圧Ｖｏｕｔ＝５×４１．２８／（５００＋４１．２８）＝０．３８１３６Ｖとなる。
【００２７】
コネクタＣＮ＃Ａ１の何れかの片端が浮くならば、抵抗Ｒ１と抵抗Ｒ２のうちの一方が無限となる。従って、ＧＮＤと接続点との間の抵抗は、抵抗Ｒ２乃至Ｒ６を並列接続した場合の合成抵抗と等しくなり、これは、６２．９４オームである。従って、電源Ｖ０＝５Ｖならば、分圧Ｖｏｕｔ＝５×６９．９４／（５００＋６２．９４）＝０．５５９０１Ｖとなる。
【００２８】
コネクタＣＮ＃Ａ１の両端が浮くならば、抵抗Ｒ１と抵抗Ｒ２の双方が無限となる。従ってＧＮＤと接続点との間の抵抗は、抵抗Ｒ３乃至Ｒ６を並列接続した場合の合成抵抗と等しくなり、これは、１３２．３５オームである。従って、電源Ｖ０＝５Ｖならば、分圧Ｖｏｕｔ＝５×１３２．３５／（５００＋１３２．３５）＝１．０４６５１Ｖとなる。
【００２９】
また、最下行に示すように、全てのコネクタが接続されていないならば、抵抗Ｒ１乃至Ｒ６の全てが無限となる。従って、ＧＮＤと接続点との間の抵抗は、無限となり、電源Ｖ０＝５Ｖならば、分圧Ｖｏｕｔ＝５Ｖとなる。
【００３０】
図３に示す表は、正常ケース、Ｃａｓｅ１乃至Ｃａｓｅ２５及び全部抜けの合わせて２７つのケースについて、分圧Ｖｏｕｔの数値を示している。
【００３１】
分圧Ｖｏｕｔは、２７のケース毎に異なるので、分圧Ｖｏｕｔに基づいて、どのコネクタに片側の浮きが発生していて、どのコネクタに両側の浮きが発生しているのかを判断することができる。
【００３２】
次に、分圧Ｖｏｕｔから複数のコネクタの接続状態をまとめて検出する方法について説明する。
【００３３】
図３の左表は、ケース別に並べて複数のコネクタの接続状態と分圧Ｖｏｕｔなどの対応関係を示している。図３の右表は、分圧Ｖｏｕｔの昇冪順に左表のデータを並び替えたものである。
【００３４】
抵抗値を図２のように選定することによって、図３の右表において上下に隣接するそれぞれのケースに対応する分圧Ｖｏｕｔの両者間の差分は最小で、
０．０１３６９６ボルト
になっている。従って、この差分を識別できる程度の分解能を持つアナログ・デジタル変換器を用いて、分圧Ｖｏｕｔ´を測定して、測定された分圧Ｖｏｕｔ´に最も近い分圧Ｖｏｕｔを図２の左表又は図２の右方から探し、これに対応する接続関係を図２の左表又は図２の右方から探すことができる。
【００３５】
また、５ボルトから徐々に連続的に減少するアナログ電圧と測定点における分圧Ｖｏｕｔとを比較器により比較し、比較器の出力が変化する時のアナログ電圧により分圧Ｖｏｕｔを検出し、検出された分圧Ｖｏｕｔに最も近い分圧Ｖｏｕｔを図２の左表又は図２の右方から探し、これに対応する接続関係を図２の左表又は図２の右方から探すことができる。
【００３６】
更に、ゼロボルトから徐々に連続的に上昇するアナログ電圧と測定点における分圧Ｖｏｕｔとを比較器により比較し、比較器の出力が変化する時のアナログ電圧により分圧Ｖｏｕｔを検出し、検出された分圧Ｖｏｕｔに最も近い分圧Ｖｏｕｔを図２の左表又は図２の右方から探し、これに対応する接続関係を図２の左表又は図２の右方から探すことができる。
【００３７】
更に、５ボルトから徐々に段階的に減少するアナログ電圧と測定点における分圧Ｖｏｕｔとを比較器により比較し、比較器の出力が変化する時のアナログ電圧により分圧Ｖｏｕｔを検出し、検出された分圧Ｖｏｕｔに最も近い分圧Ｖｏｕｔを図２の左表又は図２の右方から探し、これに対応する接続関係を図２の左表又は図２の右方から探すことができる。ここで、段階的にアナログ電圧を減少させる際には、分圧Ｖｏｕｔの期待値に所定のオフセットを持たせた電圧を繋ぐように減少させるようにしてもよい。
【００３８】
更に、ゼロボルトから徐々に段階的に増加するアナログ電圧と測定点における分圧Ｖｏｕｔとを比較器により比較し、比較器の出力が変化する時のアナログ電圧により分圧Ｖｏｕｔを検出し、検出された分圧Ｖｏｕｔに最も近い分圧Ｖｏｕｔを図２の左表又は図２の右方から探し、これに対応する接続関係を図２の左表又は図２の右方から探すことができる。ここで、段階的にアナログ電圧を減少させる際には、分圧Ｖｏｕｔの期待値に所定のオフセットを持たせた電圧を繋ぐように減少させるようにしてもよい。
【００３９】
なお、抵抗Ｒ０に流れる電流もコネクタの接続状態に応じて変化するので、この電流を測定することによっても、コネクタの接続状態がわかる。
【００４０】
上記の方法などにより１以上のコネクタの抜けを検出したならば、何かしらの方法により抜けているコネクタを特定できる方法でアラームを出力する。例えば、装置の表示部に表示してもよいし、内容をメールやメッセージで送信してもよい。また、必要に応じて、装置の動作を中断してもよい。
【００４１】
［第２の実施の形態］
第２の実施の形態の構成は第１の実施の形態の構成と同様であるが、第２の実施の形態における抵抗値に関する条件が第１の実施の形態における抵抗に関する条件と異なる。
【００４２】
第２の実施の形態における抵抗値に関する条件は下記の通りとなる。
【００４３】
Ｒ１、Ｒ２、Ｒ３、Ｒ４、Ｒ５、Ｒ６、
Ｒ１／／Ｒ２、Ｒ１／／Ｒ３、Ｒ１／／Ｒ４、Ｒ１／／Ｒ５、Ｒ１／／Ｒ６
Ｒ２／／Ｒ３、Ｒ２／／Ｒ４、Ｒ２／／Ｒ５、Ｒ２／／Ｒ６、
Ｒ１／／Ｒ２／／Ｒ３、Ｒ１／／Ｒ２／／Ｒ４、Ｒ１／／Ｒ２／／Ｒ５、
Ｒ１／／Ｒ２／／Ｒ６、
Ｒ２／／Ｒ３／／Ｒ４、Ｒ２／／Ｒ３／／Ｒ５、Ｒ２／／Ｒ３／／Ｒ６、
Ｒ３／／Ｒ４／／Ｒ５、Ｒ３／／Ｒ４／／Ｒ６、
Ｒ１／／Ｒ２／／Ｒ３／／Ｒ４、Ｒ１／／Ｒ２／／Ｒ３／／Ｒ５、
Ｒ１／／Ｒ２／／Ｒ３／／Ｒ６、Ｒ２／／Ｒ３／／Ｒ４／／Ｒ５、
Ｒ２／／Ｒ３／／Ｒ４／／Ｒ６、Ｒ３／／Ｒ４／／Ｒ５／／Ｒ６
Ｒ２／／Ｒ３／／Ｒ４／／Ｒ５／／Ｒ６、
Ｒ１／／Ｒ３／／Ｒ４／／Ｒ５／／Ｒ６、
Ｒ１／／Ｒ２／／Ｒ４／／Ｒ５／／Ｒ６、
Ｒ１／／Ｒ２／／Ｒ３／／Ｒ５／／Ｒ６、
Ｒ１／／Ｒ２／／Ｒ３／／Ｒ４／／Ｒ５、
Ｒ１／／Ｒ２／／Ｒ３／／Ｒ４／／Ｒ５、
の全てが異なる。つまり、抵抗Ｒ１から抵抗Ｒ６までから１個乃至５個の抵抗を選択した各合わせにおける並列の抵抗値が全て異なる。
【００４４】
第１の実施の形態では、どのコネクタの何れか一方が浮いていることを検出することができたが、どのコネクタのどちら側の片端が浮いているのかを判断することできない。これに対して、第２の実施の形態においては、どのコネクタのどちら側の片端が浮いているのかも判断することができる。
【００４５】
［第３の実施の形態］
図４は第３の実施の形態におけるコネクタ対接続状態検出装置及びこれにより接続状態が検出される複数組のコネクタを示す回路図である。
【００４６】
図４を参照すると、制御基板には、３つのコネクタ（コネクタＣＮ＃Ａ１、ＣＮ＃Ｂ１、ＣＮ＃Ｃ１）が実装されている。また、基板Ａには、コネクタＣＮ＃Ａ２が実装されていて、基板Ｂには、コネクタＣＮ＃Ｂ２が実装されていて、基板Ｃには、コネクタＣＮ＃Ｃ２が実装されている。
【００４７】
コネクタＣＮ＃Ａ１にはコネクタＣＮ＃Ａ２が接続され、コネクタＣＮ＃Ｂ１にはコネクタＣＮ＃Ｂ２が接続され、コネクタＣＮ＃Ｃ１にはコネクタＣＮ＃Ｃ２が接続される。
【００４８】
コネクタＣＮ＃Ａ２の両端の端子は、相互に接続されている。同様に、コネクタＣＮ＃Ｂ２の両端の端子も、相互に接続されていて、コネクタＣＮ＃Ｃ２の両端の端子も、相互に接続されている。
【００４９】
コネクタＣＮ＃Ａ１の両端の端子は、抵抗Ｒ１を介して相互に接続されている。
【００５０】
同様に、コネクタＣＮ＃Ｂ１の両端の端子は、抵抗Ｒ２を介して相互に接続されている
同様に、コネクタＣＮ＃Ｃ１の両端の端子は、抵抗Ｒ３を介して相互に接続されている。
【００５１】
制御基板には、一端が電源Ｖ０に接続された抵抗Ｒ０が設けられている。
【００５２】
抵抗Ｒ０の他端に抵抗Ｒ１の一端が接続されている。
【００５３】
抵抗Ｒ１の他端に抵抗Ｒ２の一端が接続され、抵抗Ｒ２の他端に抵抗Ｒ３の一端が接続され、抵抗Ｒ３の他端にＧＮＤが接続されている。
【００５４】
コネクタＣＮ＃Ａ１がコネクタＣＮ＃Ａ２に正常に接続されているならば、抵抗Ｒ１の両端は短絡される。しかし、コネクタＣＮ＃Ａ１からコネクタＣＮ＃Ａ２が浮いていると、両端が浮いているか片端が浮いているかにかかわらず、抵抗Ｒ１の両端は短絡されない。
【００５５】
同様に、コネクタＣＮ＃Ｂ１がコネクタＣＮ＃Ｂ２に正常に接続されているならば、抵抗Ｒ２の両端は短絡される。しかし、コネクタＣＮ＃Ｂ１からコネクタＣＮ＃Ｂ２が浮いていると、両端が浮いているか片端が浮いているかにかかわらず、抵抗Ｒ２の両端は短絡されない。
【００５６】
同様に、コネクタＣＮ＃Ｃ１がコネクタＣＮ＃Ｃ２に正常に接続されているならば、抵抗Ｒ３の両端は短絡される。しかし、コネクタＣＮ＃Ｃ１からコネクタＣＮ＃Ｃ２が浮いていると、両端が浮いているか片端が浮いているかにかかわらず、抵抗Ｒ３の両端は短絡されない。
【００５７】
ここで、抵抗値は、
Ｒ１≠Ｒ２、Ｒ１≠Ｒ３、Ｒ２≠Ｒ３
Ｒ１≠Ｒ２＋Ｒ３
Ｒ２≠Ｒ１＋Ｒ３
Ｒ３≠Ｒ１＋Ｒ２
となるように選ばれている。その一例を図５に示す。
【００５８】
抵抗Ｒ０と抵抗Ｒ１の接続点は、電圧を検出するべき点となっている。この点の電圧Ｖｏｕｔにより、コネクタの接続状態を知ることができる。
【００５９】
第１の実施の形態では、どのコネクタに片側の浮きが生じていて、どのコネクタに両側の浮きが生じているのかを検出することができた。また、第２の実施の形態では、片側に浮きが生じているコネクタについて、どちら側に浮きが生じているかについても検出することができた。これに対して第３の実施の形態では、どのコネクタに片側又は両側の浮きが生じているかを検出することができる。
【００６０】
図６は、コネクタの接続状態と合成抵抗の値と電圧Ｖｏｕｔとの関係を示す表である。
【００６１】
幾つかの例を説明すると、最上行に示すように、全てのコネクタが正常に接続されているならば、ＧＮＤと接続点との間の抵抗は、ゼロオームになる。従って、電源Ｖ０＝５Ｖならば、分圧Ｖｏｕｔ＝５×０／（１０００＋０）＝０Ｖとなる。
【００６２】
また、第２行に示すように、コネクタＡのみに片側又は両側の抜けがあるならば、ＧＮＤと接続点との間の抵抗は、Ｒ１＝２００オームになる。従って、電源Ｖ０＝５Ｖならば、分圧Ｖｏｕｔ＝５×２００／（１０００＋２００）＝０．８３３３３Ｖとなる。
【００６３】
また、第５行に示すように、コネクタＡ及びコネクタＢに片側又は両側の抜けがあるならば、ＧＮＤと接続点との間の抵抗は、Ｒ１＋Ｒ２＝５３０オームになる。従って、電源Ｖ０＝５Ｖならば、分圧Ｖｏｕｔ＝５×５３０／（１０００＋５３０）＝１．７３２０３Ｖとなる。
【００６４】
図６に示す表は、正常ケース、Ｃａｓｅ１乃至Ｃａｓｅ６及び全部抜けの合わせて８つのケースについて、分圧Ｖｏｕｔの数値を示している。
【００６５】
分圧Ｖｏｕｔは、８のケース毎に異なるので、分圧Ｖｏｕｔに基づいて、どのコネクタに片側の浮きが発生していて、どのコネクタに両側の浮きが発生しているのかを判断することができる。
【００６６】
［第４の実施の形態］
図７は第４の実施の形態におけるコネクタ対接続状態検出装置及びこれにより接続状態が検出される複数組のコネクタを示す回路図である。
【００６７】
図７を参照すると、制御基板には、３つのコネクタ（コネクタＣＮ＃Ａ１、ＣＮ＃Ｂ１、ＣＮ＃Ｃ１）が実装されている。また、基板Ａには、コネクタＣＮ＃Ａ２が実装されていて、基板Ｂには、コネクタＣＮ＃Ｂ２が実装されていて、基板Ｃには、コネクタＣＮ＃Ｃ２が実装されている。
【００６８】
コネクタＣＮ＃Ａ１にはコネクタＣＮ＃Ａ２が接続され、コネクタＣＮ＃Ｂ１にはコネクタＣＮ＃Ｂ２が接続され、コネクタＣＮ＃Ｃ１にはコネクタＣＮ＃Ｃ２が接続される。
【００６９】
コネクタＣＮ＃Ａ２の両端の端子は、相互に接続されている。同様に、コネクタＣＮ＃Ｂ２の両端の端子も、相互に接続されていて、コネクタＣＮ＃Ｃ２の両端の端子も、相互に接続されている。
【００７０】
コネクタＣＮ＃Ａ１の片端の端子は、ＧＮＤに接続され、他端の端子は、抵抗Ｒ１の一端に接続されている。
【００７１】
同様に、コネクタＣＮ＃Ｂ１の片端の端子は、ＧＮＤに接続され、他端の端子は、抵抗Ｒ２の一端に接続されている。
【００７２】
コネクタＣＮ＃Ｃ１の片端の端子は、ＧＮＤに接続され、他端の端子は、抵抗Ｒ３の一端に接続されている。
【００７３】
制御基板には、一端が電源Ｖ０に接続された抵抗Ｒ０が設けられている。
【００７４】
抵抗Ｒ０の他端に抵抗Ｒ１の他端、抵抗Ｒ２の他端及び抵抗Ｒ３の他端が接続されている。
【００７５】
コネクタＣＮ＃Ａ１がコネクタＣＮ＃Ａ２に正常に接続されているならば、抵抗Ｒ１の片端はＧＮＤに接続される。しかし、コネクタＣＮ＃Ａ１からコネクタＣＮ＃Ａ２が浮いていると、両端が浮いているか片端が浮いているかにかかわらず、抵抗Ｒ１の片端は開放される。
【００７６】
同様に、コネクタＣＮ＃Ｂ１がコネクタＣＮ＃Ｂ２に正常に接続されているならば、抵抗Ｒ２の片端はＧＮＤに接続される。しかし、コネクタＣＮ＃Ｂ１からコネクタＣＮ＃Ｂ２が浮いていると、両端が浮いているか片端が浮いているかにかかわらず、抵抗Ｒ２の片端は開放される。
【００７７】
同様に、コネクタＣＮ＃Ｃ１がコネクタＣＮ＃Ｃ２に正常に接続されているならば、抵抗Ｒ３の片端はＧＮＤに接続される。しかし、コネクタＣＮ＃Ｃ１からコネクタＣＮ＃Ｃ２が浮いていると、両端が浮いているか片端が浮いているかにかかわらず、抵抗Ｒ３の片端は開放される。
【００７８】
ここで、抵抗値は、
Ｒ１、Ｒ２、Ｒ３、
Ｒ１／／Ｒ２、Ｒ１／／Ｒ３、Ｒ２／／Ｒ３
Ｒ１／／Ｒ２／／Ｒ３
の全てが異なる。つまり、抵抗Ｒ１、Ｒ２、Ｒ３から１個乃至３個の抵抗を選択した各合わせにおける並列の抵抗値が全て異なる。
【００７９】
その一例を図８に示す。
【００８０】
抵抗Ｒ０と抵抗Ｒ１と抵抗Ｒ２と抵抗Ｒ３の接続点は、電圧を検出するべき点となっている。この点の電圧Ｖｏｕｔにより、コネクタの接続状態を知ることができる。
【００８１】
第３の実施の形態と同様に、第４の実施の形態では、どのコネクタに片側又は両側の浮きが生じているかを検出することができる。
【００８２】
図９は、コネクタの接続状態と合成抵抗の値と電圧Ｖｏｕｔとの関係を示す表である。
【００８３】
幾つかの例を説明すると、最上行に示すように、全てのコネクタが正常に接続されているならば、ＧＮＤと接続点との間の抵抗の値は、抵抗Ｒ１と抵抗Ｒ２と抵抗Ｒ３の並列抵抗の値である１２０オームになる。従って、電源Ｖ０＝５Ｖならば、分圧Ｖｏｕｔ＝５×１２０／（１０００＋１２０）＝０．９６６４５Ｖとなる。
【００８４】
また、第２行に示すように、コネクタＡのみに片側又は両側の抜けがあるならば、ＧＮＤと接続点との間の抵抗の値は、抵抗Ｒ２と抵抗Ｒ３の並列抵抗の値である２９８．７６オームになる。従って、電源Ｖ０＝５Ｖならば、分圧Ｖｏｕｔ＝５×２９８．７６／（１０００＋２９８．７６）＝１．８７０１５Ｖとなる。
【００８５】
また、第５行に示すように、コネクタＡ及びコネクタＢに片側又は両側の抜けがあるならば、ＧＮＤと接続点との間の抵抗の値は、Ｒ３＝８２０オームになる。従って、電源Ｖ０＝５Ｖならば、分圧Ｖｏｕｔ＝５×８２０／（１０００＋８２０）＝３．１０６０６Ｖとなる。
【００８６】
図９に示す表は、正常ケース、Ｃａｓｅ１乃至Ｃａｓｅ６及び全部抜けの合わせて８つのケースについて、分圧Ｖｏｕｔの数値を示している。
【００８７】
分圧Ｖｏｕｔは、８のケース毎に異なるので、分圧Ｖｏｕｔに基づいて、どのコネクタに片側の浮きが発生していて、どのコネクタに両側の浮きが発生しているのかを判断することができる。
【００８８】
［第５の実施の形態］
図１０に示す第５の実施の形態は、第４の実施の形態の一部を変更したものである。第５の実施の形態では、第４の実施の形態において分圧検出点と各コネクタの片端の間に接続されていた各抵抗Ｒ１、Ｒ２、Ｒ３を、それぞれ、同一のコネクタの他端とＧＮＤに接続されるように移動している。
【００８９】
第５の実施の形態において検出されるコネクタの接続状態毎の電圧Ｖｏｕｔは、第４の実施の形態と同様であるので、重複する説明を省略する。
【００９０】
［第６の実施の形態］
第１乃至第５の実施の形態において、電源Ｖｏは、制御基板の内部で発生したものであってもよいし、制御基板に外部から供給されたものであってもよい。また、抵抗を制御基板の外部に設けてもよい。
【００９１】
例えば、第１の実施の形態において、抵抗Ｒ１乃至Ｒ６を、制御基板から基板Ａ、基板Ｂ及び基板Ｃに移動してもよい。抵抗Ｒ１を例にとると、コネクタＣＮ＃Ａ２とＧＮＤの間に挿入されるように移動してもよい。
【００９２】
また、第１乃至第５の実施の形態において、電気的な接続関係を維持したまま、抵抗Ｒ０乃至Ｒｎ（ｎは、実施の形態により異なる。）を制御基板でもなく、基板Ａ乃至基板Ｃでもない基板に配置してもよい。
【００９３】
［第７の実施の形態］
第１の実施の形態において、基板Ａ、基板Ｂ及び基板ＣにそれぞれあるコネクタＣＮ＃Ａ２、コネクタＣＮ＃Ｂ２及びコネクタＣＮ＃Ｃ２は、ＧＮＤではなく、共通の電源に接続されていてもよい。また、この場合、電源ＶｏをＧＮＤに置き換えてもよい。
【００９４】
［第８の実施の形態］
第３の実施の形態において、制御基板において抵抗Ｒ３及びコネクタＣＮ＃Ｃ１に接続されているＧＮＤを所定の電源に置き換えてもよい。また、この場合、電源ＶｏをＧＮＤに置き換えてもよい。
【００９５】
［第９の実施の形態］
第４及び第５の実施の形態において、制御基板においてコネクタＣＮ＃Ａ１、ＣＮ＃Ｂ１及びＣＮ＃Ｃ１に接続されているＧＮＤを所定の電源に置き換えてもよい。また、この場合、電源ＶｏをＧＮＤに置き換えてもよい。
【００９６】
［第１０の実施の形態］
第１乃至第９の実施の形態においては、抵抗Ｒ０の一端を定電圧源に接続しているが、第１０の実施の形態では、定電圧源を定電流源に変更する。この形態でも検知電圧Ｖｏｕｔに基づいてコネクタの接続状態を知ることができる。また、この場合、抵抗Ｒ０の両端を短絡させてもよい。
【００９７】
［第１１の実施の形態］
第１１の実施の形態は、第１乃至第５の実施の形態による原稿読取装置を含む複合機８００に関するものである。図１１及び図１２は、複合機８００の構成などを示すものである。
【００９８】
図１１及び図１２に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８４３と、操作パネル部８４３による操作に基づいて原稿読取装置８２０及び複合機本体８３０を制御する演算処理部８４１と、を備えている。
【００９９】
図１、図４、図７、図１０に示した制御基板、基板Ａ、基板Ｂ及び基板Ｃは、それぞれ、例えば、演算処理部８４１を搭載する基板、原稿読取装置８２０に含まれる回路を搭載する基板、複合機本体８３０に含まれる回路を搭載する基板及び操作パネル部８４３に含まれる回路を搭載する基板である。
【０１００】
画像読取りのために原稿読取装置８２０を単体で用いること、画像形成のために複合機本体８３０を単体で用いることの他に、画像を複写するためにこれらを連動させることもできる。また、複合機８００は図示しない記憶装置及びファクシミリ装置を含んでいてもよい。記憶装置は、原稿読取装置８２０により読み取られた画像やファクシミリ装置により受信した画像を格納することができる。ファクシミリ装置は、原稿読取装置８２０により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【０１０１】
原稿読取装置８２０は、原稿を自動給送する原稿自動給送部ＳＰＦ(Single Pass Feeder)８２４と、原稿の画像を読み取る読取装置本体８２２と、を備えている。なお、原稿読取装置８２０は、図１２に示す構成要素の他に、図１２は示されないが図１１に示される構成要素も含む。また、図１１に示すように、読取装置本体８２２には、原稿台８２６が備わる。
【０１０２】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【０１０３】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【０１０４】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【０１０５】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【０１０６】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【０１０７】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【０１０８】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【０１０９】
操作パネル部８４３は、所定の情報を表示する表示部８４５と、利用者が原稿読取装置８２０及び複合機本体８３０への指示を入力する入力部８４７と、を備えている。本実施形態においては、操作パネル部８４３は、読取装置本体８２２の正面側に配設されている。なお、正面側は図１１の紙面の手前側に対応し、裏面側は図１１の背面側に対応する。
【０１１０】
図１２に示すように、演算処理部８４１は、シート給送部１０、手差し給送部２０、画像形成部３０及び原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、利用者による操作パネル部８４３への操作に基づいて、シート給送部１０、手差し給送部２０、画像形成部３０及び原稿読取装置８２０の動作を統合して制御し、シートに画像を形成させる。
【０１１１】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【０１１２】
利用者による操作パネル部８４３の入力部８４７への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【０１１３】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【０１１４】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【０１１５】
トナー像が転写されたシートは、定着部３４で加熱・加圧されることでトナー像が溶融定着され、排出ローラ対１８により装置外に排出される。装置外に排出されたシートは、排出シート積載部１９に積載される。
【０１１６】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【０１１７】
なお、上記のコネクタ対接続状態検出装置は、ハードウェア、ソフトウェア又はこれらの組合わせにより実現することができる。また、上記のコネクタ対接続状態検出装置により行なわれるコネクタ対接続状態検出方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１１８】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１９】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【０１２０】
本発明は、コネクタ対の接続状態を検出するために利用することができる。
【符号の説明】
【０１２１】
８２０  原稿読取装置
８３０  複合機本体
８４１  演算処理部
８４３  操作パネル部
【図１】
2020030912.tif 000003
【図２】
2020030912.tif 000004
【図３】
2020030912.tif 000005
【図４】
2020030912.tif 000006
【図５】
2020030912.tif 000007
【図６】
2020030912.tif 000008
【図７】
2020030912.tif 000009
【図８】
2020030912.tif 000010
【図９】
2020030912.tif 000011
【図１０】
2020030912.tif 000012
【図１１】
2020030912.tif 000013
【図１２】
2020030912.tif 000014